(57)【特許請求の範囲】
【請求項１】
内部に飯器を収納し得るように構成された炊飯器本体と、該炊飯器本体の開口を開閉自在に覆蓋する蓋体とを備えた電気炊飯器であって、前記炊飯器本体の肩部には、該肩部を覆う肩カバーを着脱自在に取り付けるとともに、該肩カバーには、前記蓋体を前記炊飯器本体に対してロックするロック機構を構成するレバー部を取付状態において覆う立壁部を一体に形成したことを特徴とする電気炊飯器。
【請求項２】
内部に飯器を収納し得るように構成された炊飯器本体と、該炊飯器本体の開口を開閉自在に覆蓋する蓋体とを備えた電気炊飯器であって、前記炊飯器本体の肩部には、該肩部を覆う肩カバーを着脱自在に取り付けるとともに、該肩カバーには、前記炊飯器本体に蓋体を枢支するヒンジ部を覆うことにより該肩カバーの位置決めを行う位置決め手段を設けたことを特徴とする電気炊飯器。
【請求項３】
内部に飯器を収納し得るように構成された炊飯器本体と、該炊飯器本体の開口を開閉自在に覆蓋する蓋体とを備えた電気炊飯器であって、前記炊飯器本体の肩部には、該肩部を覆う肩カバーを着脱自在に取り付けるとともに、該肩カバーには、前記飯器の把手が載置される把手載置部を覆うことにより該肩カバーの位置決めを行う位置決め手段を設けたことを特徴とする電気炊飯器。
【請求項４】
内部に飯器を収納し得るように構成された炊飯器本体と、該炊飯器本体の開口を開閉自在に覆蓋する蓋体とを備えた電気炊飯器であって、前記炊飯器本体の肩部には、該肩部を覆う肩カバーを着脱自在に取り付けるとともに、該肩カバーの内周縁には、前記炊飯器本体の内周面を構成する保護枠を一体に形成したことを特徴とする電気炊飯器。
【発明の詳細な説明】
【０００２】
【発明の属する技術分野】
【０００３】
本願発明は、電気炊飯器に関し、さらに詳しくは電気炊飯器における炊飯器本体肩部の構造に関するものである。
【従来の技術】
【０００４】
一般に、電気炊飯器においては、炊飯器本体の肩部は合成樹脂製とされていて、炊飯器本体と一体構造とされている。
【０００５】
上記構造の電気炊飯器における肩部には、炊飯時においてはおねばが、炊飯後においては御飯粒などが載り易く、これらを取り除くための掃除が面倒であるという不具合があった。また、電気炊飯器においては、保温時に炊飯器本体の肩部を介しての放熱がもっとも顕著であり、省エネ上の観点からもその対策が待たれている。
【０００６】
近年、上記対策の一つとして、炊飯器本体の肩部に、ステンレス製等からなるカバー部材を取り付けるようにしたものが提案されている。
【発明が解決しようとする課題】
【０００７】
上記したような構成とした場合、炊飯器本体肩部に対してカバー部材が固定されているため、取り外すことができないこととなっている。従って、カバー部材に付着したおねばや御飯粒はふき取るしかなく、掃除が面倒であるし、長期使用の場合に清潔さを保持することも難しいという不具合がある。
【０００８】
本願発明は、上記の点に鑑みてなされたもので、炊飯器本体の肩部を覆う肩カバーを着脱自在とすることにより、肩カバーの丸洗いを可能ならしめることを目的とするものである。
【課題を解決するための手段】
【０００９】
請求項１の発明では、上記課題を解決するための手段として、内部に飯器を収納し得るように構成された炊飯器本体と、該炊飯器本体の開口を開閉自在に覆蓋する蓋体とを備えた電気炊飯器において、前記炊飯器本体の肩部に、該肩部を覆う肩カバーを着脱自在に取り付けるとともに、該肩カバーに、前記蓋体を前記炊飯器本体に対してロックするロック機構を構成するレバー部を取付状態において覆う立壁部を一体に形成している。
【００１０】
上記のように構成したことにより、肩カバーを炊飯器本体の肩部から取り外すことができることとなり、炊飯時あるいは保温時におねばや御飯粒が肩カバーに付着したとしても、肩カバーを取り外して丸洗いすることにより、おねばや御飯粒を簡単に取り除くことができる。また、炊飯器本体肩部を肩カバーで覆う構成となっているため、保温時に炊飯器本体の肩部を介しての放熱が抑制されることとなり、省エネ効果を期待することもできる。しかも、ロック機構を構成するレバー部が肩カバーによって覆われることとなり、該レバー部への御飯粒やゴミの侵入を防止することができる。
【００１１】
請求項２の発明では、上記課題を解決するための手段として、内部に飯器を収納し得るように構成された炊飯器本体と、該炊飯器本体の開口を開閉自在に覆蓋する蓋体とを備えた電気炊飯器において、前記炊飯器本体の肩部に、該肩部を覆う肩カバーを着脱自在に取り付けるとともに、該肩カバーに、前記炊飯器本体に蓋体を枢支するヒンジ部を覆うことにより該肩カバーの位置決めを行う位置決め手段を設けている。
【００１２】
上記のように構成したことにより、肩カバーを炊飯器本体の肩部から取り外すことができることとなり、炊飯時あるいは保温時におねばや御飯粒が肩カバーに付着したとしても、肩カバーを取り外して丸洗いすることにより、おねばや御飯粒を簡単に取り除くことができる。また、炊飯器本体肩部を肩カバーで覆う構成となっているため、保温時に炊飯器本体の肩部を介しての放熱が抑制されることとなり、省エネ効果を期待することもできる。しかも、肩カバーでヒンジ部を覆うという簡単な作業で肩カバーの位置決めが行えることとなり、肩カバーの装着作業が容易となる。
【００１３】
請求項３の発明では、上記課題を解決するための手段として、内部に飯器を収納し得るように構成された炊飯器本体と、該炊飯器本体の開口を開閉自在に覆蓋する蓋体とを備えた電気炊飯器において、前記炊飯器本体の肩部に、該肩部を覆う肩カバーを着脱自在に取り付けるとともに、該肩カバーに、前記飯器の把手が載置される把手載置部を覆うことにより該肩カバーの位置決めを行う位置決め手段を設けている。
【００１４】
上記のように構成したことにより、肩カバーを炊飯器本体の肩部から取り外すことができることとなり、炊飯時あるいは保温時におねばや御飯粒が肩カバーに付着したとしても、肩カバーを取り外して丸洗いすることにより、おねばや御飯粒を簡単に取り除くことができる。また、炊飯器本体肩部を肩カバーで覆う構成となっているため、保温時に炊飯器本体の肩部を介しての放熱が抑制されることとなり、省エネ効果を期待することもできる。しかも、肩カバーで把手載置部を覆うという簡単な作業で肩カバーの位置決めが行えることとなり、肩カバーの装着作業が容易となる。
【００１５】
請求項４の発明では、上記課題を解決するための手段として、内部に飯器を収納し得るように構成された炊飯器本体と、該炊飯器本体の開口を開閉自在に覆蓋する蓋体とを備えた電気炊飯器において、前記炊飯器本体の肩部に、該肩部を覆う肩カバーを着脱自在に取り付けるとともに、該肩カバーの内周縁に、前記炊飯器本体の内周面を構成する保護枠を一体に形成している。
【００１６】
上記のように構成したことにより、肩カバーを炊飯器本体の肩部から取り外すことができることとなり、炊飯時あるいは保温時におねばや御飯粒が肩カバーに付着したとしても、肩カバーを取り外して丸洗いすることにより、おねばや御飯粒を簡単に取り除くことができる。また、炊飯器本体肩部を肩カバーで覆う構成となっているため、保温時に炊飯器本体の肩部を介しての放熱が抑制されることとなり、省エネ効果を期待することもできる。しかも、汚れ易い肩カバーおよび御飯粒が付着し易い保護枠を一体として取り外して丸洗いすることができることとなり、電気炊飯器の手入れが容易となる。
【発明の実施の形態】
【００１７】
以下、添付の図面を参照して、本願発明の幾つかの好適な実施の形態について詳述する。
【００１８】
第１の実施の形態
図１ないし図６には、本願発明の第１の実施の形態にかかる電気炊飯器が示されている。
【００１９】
この電気炊飯器は、図１および図２に示すよう、内部に炊飯用の飯器３を収納し得るように構成され且つ空間部４を有する二重構造の炊飯器本体１と、該炊飯器本体１の上部開口を開閉且つ着脱自在に覆蓋する蓋体２とを備えている。
【００２０】
前記炊飯器本体１は、外側壁となる胴部５ａを有する合成樹脂の一体成形品からなる外ケース５と、内周壁となる合成樹脂製の有底筒状の保護枠６と、該保護枠６の上端と前記胴部５ａの上端とを結合すべく前記外ケース５に一体形成された肩部５ｂと、底壁となる合成樹脂製の底部材７によって構成されており、前記外ケース５、保護枠６および底部材７に囲まれて前記空間部４が形成されている。なお、前記保護枠６内には、前記飯器３が取り出し可能に収納されることとなっている。
【００２１】
前記保護枠６の底面中央部には、飯器温度を検出するための温度検出手段として作用するセンタセンサー８を臨ませるためのセンサー穴９が形成されている。
【００２２】
前記センサー穴９を包囲するように炊飯時における加熱手段として作用する環状の電磁誘導コイル（以下、ワークコイルという）１０が前記保護枠６の底面および該底面から側周面に至る間の湾曲部に対応して配設されている。該ワークコイル１０は、交番磁界を発生するものであり、該交番磁界の電磁誘導により前記飯器３に誘導渦電流を発生させ、該誘導渦電流の抵抗熱を利用して加熱するものとされている。なお、飯器３は、ワークコイル１０により誘導渦電流を発生させることのできる材質（例えば、磁性体材料）により構成される。
【００２３】
前記ワークコイル１０は、前記保護枠６の底面に対して固定されたコイルダイ１１と前記保護枠６の底面との間に挟持されている。
【００２４】
前記センサー穴９内には、前記飯器３の底部に対して接触するようにしてセンタセンサー８が設けられている。
【００２５】
前記炊飯器本体１の底部（即ち、空間部４の下部）には、前記ワークコイル１０の通電制御を行うためのパワートランジスタおよび整流用ダイオードブリッジ（図示省略）等の電子部品へ冷却風を圧送する電子部品冷却ファン１２が配設されている。また、前記炊飯器本体１の底壁（具体的には、底部材７）には、前記電子部品冷却ファン１２に対向して空気入口１３が形成されている。
【００２６】
一方、前記蓋体２は、外面を構成する合成樹脂製の上板１４と、内面を構成する合成樹脂製の下板１５とによって構成されており、前記上下板１４，１５に囲まれた空間部１６には、断熱材１７が配設されている。
【００２７】
この蓋体２は、前記外ケース肩部５ｂの一側に形成されたヒンジ部１８に対して揺動自在に枢支されたヒンジユニット１９を介して炊飯器本体１に対して開閉自在且つ着脱自在に取り付けられている。
【００２８】
そして、前記蓋体２の中央部には、前記上板１４から垂設された筒部２０が形成されており、該筒部２０内には、炊飯時に発生する水蒸気を外部へ排出するための蒸気排出通路２１を有する調圧筒２２が着脱自在に取り付けられている。該調圧筒２２内には、調圧弁として作用するボール弁２３が配設されている。前記調圧筒２２の下端には、前記蓋体２の閉止時に前記飯器３の開口部３ａを密閉するための熱良導体（例えば、アルミ合金）からなる放熱板２４が取り付けられている。符号２６は調圧筒２２への蒸気入口、２７は調圧筒２２からの蒸気出口、２８は前記筒部２０に対して着脱自在に取り付けられるスチームキャップ、２９は放熱板２４の周縁と飯器３の開口部３ａとの間をシールするシールパッキン、３０は放熱板２４と蓋体下板１５との間をシールするシールパッキンである。
【００２９】
前記外ケース肩部５ｂには、肩ヒータ３１が設けられており、該肩ヒータ３１に対しては、前記蓋体２の閉止時に放熱板２４の外周縁が圧接され、放熱板２４は肩ヒータ３１からの熱伝導により加熱されることとなっている。この肩ヒータ３１は、断面逆Ｕ字状を呈し且つ隙間Ｓ，Ｓを介在させた状態で形成された略半円形状の一対のヒータリング３２，３２（図３参照）と、該各ヒータリング３２内に配設された発熱体３３，３３とからなっている。前記隙間Ｓ，Ｓには、前記飯器３の口縁において相対向して設けられた把手３４，３４が載置される把手載置部３５，３５が形成されている（図２参照）。
【００３０】
また、前記蓋体２には、前記放熱板２４の内方に位置し、該放熱板２４との間に空間部を介在させた状態で前記飯器３の開口部３ａより内方に臨ませ且つその外周を前記飯器３の内周面に近接させて支持された熱良導体からなる内蓋３６が設けられている。該内蓋３６は、前記調圧筒２２の中心部に下向きに突設された支持軸３７に対して着脱自在に嵌着されるシールパッキン２５に取り付けられている。
【００３１】
前記蓋体２は、前記炊飯器本体１の反ヒンジ側においてロック機構３８を介して閉蓋状態を保持されることとなっている。該ロック機構３８は、蓋体２の反ヒンジ側に形成された係止部３９と、該係止部３９に対して係止されるロックレバー４０とからなっており、該ロックレバー４０が揺動自在に枢支されている部分は、開口状態のレバー部Ａを構成することとなっている。
【００３２】
しかして、前記炊飯器本体１の肩部５ｂには、該肩部５ｂを覆う肩カバー４１が着脱自在に取り付けられている。該肩カバー４１は、図３に示すように、前記肩部５ｂにおけるヒータリング３２の外側部分を覆うカバー本体４１ａと、前記ヒンジ部１８を覆うことにより該肩カバー４１の位置決めを行う第１の位置決め手段として作用する位置決め部４１ｂと、前記把手載置部３５，３５を覆うことにより該肩カバー４１の位置決めを行う第２の位置決め手段として作用する位置決め部４１ｃ，４１ｃと、ロック機構３８を構成するレバー部Ａを取付状態において覆う立壁部４１ｄとからなるステンレス製の一体成形品により構成されている。本実施の形態においては、肩カバー４１はステンレス製とされているが、材質を特に限定する理由はなく、外観上見映えが良く、汚れ等が容易に洗浄できるものであれば、適当な材質を選択することができる。
【００３３】
前記カバー本体４１ａは、凹面形状の露受け手段４２が設けられている。このようにすると、炊飯時に発生するおねばや蓋体２に付着している結露水を肩カバー４１で受け止めることができる。該露受け手段４２に波形の凹凸（図示省略）を形成するのが着脱時あるいは移動時の露の落下を防止できる点で望ましい。また、前記位置決め部４１ｃ，４１ｃが把手載置部３５，３５を覆った状態で、飯器３の把手３４が載置できるように構成されている。つまり、肩カバー４１が装着されないと、飯器３を所定位置に収納できないこととなっているのである。このようにすると、肩カバー４１の取付忘れを確実に防止することができる。
【００３４】
上記のように構成された電気炊飯器においては、次のような作用効果が得られる。
【００３５】
肩カバー４１を炊飯器本体１の肩部５ｂから取り外すことができることとなっているので、炊飯時あるいは保温時におねばや御飯粒が肩カバー４１に付着したとしても、肩カバー４１を取り外して丸洗いすることにより、おねばや御飯粒を簡単に取り除くことができる。また、炊飯器本体１の肩部５ｂを肩カバー４１で覆う構成となっているため、保温時に炊飯器本体１の肩部５ｂを介しての放熱が抑制されることとなり、省エネ効果を期待することもできる。なお、図７に示すように、肩カバー４１の外周部に凸壁４３を一体に形成し、蓋体２の閉蓋時に、該凸壁４３を蓋体２における炊飯器本体１との当接部に形成した凹溝４４に嵌挿するようにすれば、保温時に炊飯器本体１の肩部５ｂを介しての放熱がさらに抑制されることとなり、さらなる省エネ効果を期待することができる。
【００３６】
この肩カバー４１は、ヒンジ部１８を覆う第１の位置決め部４１ｂと把手載置部３５，３５を覆う第２の位置決め部４１ｃ，４１ｃによって装着時の位置決めが行えることとなっているので、装着作業が極めて容易となる。
【００３７】
しかも、前記肩カバー４１には、前記蓋体２を前記炊飯器本体１に対してロックするロック機構３８を構成するロックレバー４０を枢支しているレバー部Ａを取付状態において覆う立壁部４１ｄが一体に形成されているので、レバー部Ａが肩カバー４１によって覆われることとなり、該レバー部Ａへの御飯粒やゴミの侵入を防止することができる。
【００３８】
本実施の形態においては、肩カバー４１の外周縁を肩部５ｂの外周縁と一致させるようにしているが、肩カバー４１の外周縁に垂下壁を一体に形成しておき、この垂下壁を肩部５ｂの外周縁に被せるようにしてもよいことは勿論である。
【００３９】
第２の実施の形態
図８には、本願発明の第２の実施の形態にかかる電気炊飯器の分解斜視図が示されている。
【００４０】
この場合、炊飯器本体１の肩部５ｂには、肩ヒータが設けられておらず、蓋体２の底面に蓋ヒータ（図示省略）が設けられている。従って、肩部５ｂの全面を覆うようにして肩カバー４１が着脱自在に取り付けられることとなっている。そして、この肩カバー４１は、合成樹脂製とされていて、その内周縁には、保護枠６が一体に延設されている。つまり、肩カバー４１と保護枠６とは、合成樹脂の一体成形品により構成されることとなっているのである。肩部５ｂには、飯器３のフランジ部の位置決めを行う３個の突起４５，４５，４５が形成される一方、肩カバー４１には、前記突起４５，４５，４５がそれぞれ嵌挿される位置決め用穴４６，４６，４６が形成されている。このようにすると、汚れ易い肩カバー４１および御飯粒が付着し易い保護枠６を一体として取り外して丸洗いすることができることとなり、電気炊飯器の手入れが容易となる。しかも、肩カバー４１と保護枠６とが、合成樹脂の一体成形品により構成されることとなっているため、部品点数を低減できるとともに、組付工数も低減できる。その他の構成および作用効果は、第１の実施の形態におけると同様なので説明を省略する。
【００４１】
上記各実施の形態においては、炊飯用加熱手段としてワークコイルを用いているが、本願発明は、炊飯用加熱手段として電気ヒータを用いたものにも適用可能なことは勿論である。
【発明の効果】
【００４２】
請求項１の発明によれば、内部に飯器を収納し得るように構成された炊飯器本体と、該炊飯器本体の開口を開閉自在に覆蓋する蓋体とを備えた電気炊飯器において、前記炊飯器本体の肩部に、該肩部を覆う肩カバーを着脱自在に取り付けて、肩カバーを炊飯器本体の肩部から取り外して丸洗いすることができるようにしているので、炊飯時あるいは保温時におねばや御飯粒が肩カバーに付着したとしても、おねばや御飯粒を簡単に取り除くことができるという効果がある。また、炊飯器本体肩部を肩カバーで覆う構成となっているため、保温時に炊飯器本体の肩部を介しての放熱が抑制されることとなり、省エネ効果を期待することもできるという効果もある。しかも、前記肩カバーに、前記蓋体を前記炊飯器本体に対してロックするロック機構を構成するレバー部を取付状態において覆う立壁部を一体に形成しているので、ロック機構を構成するレバー部が肩カバーによって覆われることとなり、該レバー部への御飯粒やゴミの侵入を防止することができるという効果もある。
【００４３】
請求項２の発明によれば、内部に飯器を収納し得るように構成された炊飯器本体と、該炊飯器本体の開口を開閉自在に覆蓋する蓋体とを備えた電気炊飯器において、前記炊飯器本体の肩部に、該肩部を覆う肩カバーを着脱自在に取り付けて、肩カバーを炊飯器本体の肩部から取り外して丸洗いすることができるようにしているので、炊飯時あるいは保温時におねばや御飯粒が肩カバーに付着したとしても、おねばや御飯粒を簡単に取り除くことができるという効果がある。また、炊飯器本体肩部を肩カバーで覆う構成となっているため、保温時に炊飯器本体の肩部を介しての放熱が抑制されることとなり、省エネ効果を期待することもできるという効果もある。しかも、前記肩カバーに、前記炊飯器本体に蓋体を枢支するヒンジ部を覆うことにより該肩カバーの位置決めを行う位置決め手段を設けているので、肩カバーでヒンジ部を覆うという簡単な作業で肩カバーの位置決めが行えることとなり、肩カバーの装着作業が容易となるという効果もある。
【００４４】
請求項３の発明によれば、内部に飯器を収納し得るように構成された炊飯器本体と、該炊飯器本体の開口を開閉自在に覆蓋する蓋体とを備えた電気炊飯器において、前記炊飯器本体の肩部に、該肩部を覆う肩カバーを着脱自在に取り付けて、肩カバーを炊飯器本体の肩部から取り外して丸洗いすることができるようにしているので、炊飯時あるいは保温時におねばや御飯粒が肩カバーに付着したとしても、おねばや御飯粒を簡単に取り除くことができるという効果がある。また、炊飯器本体肩部を肩カバーで覆う構成となっているため、保温時に炊飯器本体の肩部を介しての放熱が抑制されることとなり、省エネ効果を期待することもできるという効果もある。しかも、前記肩カバーに、前記飯器の把手が載置される把手載置部を覆うことにより該肩カバーの位置決めを行う位置決め手段を設けているので、肩カバーで把手載置部を覆うという簡単な作業で肩カバーの位置決めが行えることとなり、肩カバーの装着作業が容易となるという効果もある。
【００４５】
請求項４の発明によれば、内部に飯器を収納し得るように構成された炊飯器本体と、該炊飯器本体の開口を開閉自在に覆蓋する蓋体とを備えた電気炊飯器において、前記炊飯器本体の肩部に、該肩部を覆う肩カバーを着脱自在に取り付けて、肩カバーを炊飯器本体の肩部から取り外して丸洗いすることができるようにしているので、炊飯時あるいは保温時におねばや御飯粒が肩カバーに付着したとしても、おねばや御飯粒を簡単に取り除くことができるという効果がある。また、炊飯器本体肩部を肩カバーで覆う構成となっているため、保温時に炊飯器本体の肩部を介しての放熱が抑制されることとなり、省エネ効果を期待することもできるという効果もある。しかも、前記肩カバーの内周縁に、前記炊飯器本体の内周面を構成する保護枠を一体に形成しているので、汚れ易い肩カバーおよび御飯粒が付着し易い保護枠を一体として取り外して丸洗いすることができることとなり、電気炊飯器の手入れが容易となるという効果もある。
【図面の簡単な説明】
【００４６】
【図１】本願発明の第１の実施の形態にかかる電気炊飯器の縦断面図である。
【図２】図１のＩＩ−ＩＩ断面図である。
【図３】本願発明の第１の実施の形態にかかる電気炊飯器の要部分解斜視図である。
【図４】本願発明の第１の実施の形態にかかる電気炊飯器におけるヒンジ部拡大断面図である。
【図５】本願発明の第１の実施の形態にかかる電気炊飯器におけるレバー部拡大断面図である。
【図６】本願発明の第１の実施の形態にかかる電気炊飯器における把手載置部の拡大断面図である。
【図７】本願発明の第１の実施の形態にかかる電気炊飯器の変形例における要部拡大断面図である。
【図８】本願発明の第２の実施の形態にかかる電気炊飯器における分解斜視図である。
【符号の説明】
【００４７】
１は炊飯器本体、２は蓋体、３は飯器、５は外ケース、５ａは胴部、５ｂは肩部、６は保護枠、１０は加熱手段（ワークコイル）、１８はヒンジ部、３１は肩ヒータ、３２はヒータリング、３４は把手、３５は把手載置部、３８はロック機構、３９は係止部、４０はロックレバー、４１は肩カバー、４１ａはカバー本体、４１ｂは位置決め手段（第１の位置決め部）、４１ｃは位置決め手段（第２の位置決め部）、４１ｄは立壁部、４２は露受け手段、Ａはレバー部、Ｓは隙間。
【図１】
0003589209.tif 000002
【図２】
0003589209.tif 000003
【図３】
0003589209.tif 000004
【図４】
0003589209.tif 000005
【図５】
0003589209.tif 000006
【図６】
0003589209.tif 000007
【図７】
0003589209.tif 000008
【図８】
0003589209.tif 000009